(57)【要約】【課題】  網の設置を簡便に行うことができ、網の角部を安定して固定することができ、施工性にも優れた斜面落石防護構造を提供する。【解決手段】  合成樹脂製からなる複数の網11，11を並べ、これら網11，11により斜面を覆う。網11は四方に縁ロープ材たるロープ材16を有し、網11の角部11Ｋを斜面に取り付ける取付具21を備えるから、ロープ材16を有する網11を複数並べることにより、網とロープとを同時に設けることができ、施工性に優れたものとなる。また、網11の角部11Ｋを係止する係止軸を有し、複数の網11の角部11Ｋを効率よく固定することができる。また、従来のようにロープが重なり合うことがなく、固定によりロープ材16に無理な力が加わることもない。    【選択図】      図１
2005336720.tif 000002
【特許請求の範囲】
【請求項１】
合成樹脂製からなる複数の網を並べ、これら網により斜面を覆った斜面防護構造であって、前記網は四方に縁ロープ材を有し、前記網の角部を斜面に取り付ける取付具を備えることを特徴とする斜面落石防護構造。
【請求項２】
前記取付具は、複数の網の角部に対応してそれぞれ設けられ該角部が係止する係止部を有する取付具本体と、この取付具本体を斜面に固定する固定手段とを備えることを特徴とする請求項１記載の斜面落石防護構造。
【請求項３】
４つの前記係止部を有し、隣接する４つの網の角部を前記取付具により斜面に固定したことを特徴とする特徴とする請求項１又は２記載の斜面落石防護構造。
【請求項４】
前記角部の縁ロープ材を前記係止部に係止し、前記固定手段の周囲にほぼ等間隔で前記４つの係止部を配置したことを特徴とする請求項１〜３のいずれか１項に記載の斜面落石防護構造。
【請求項５】
前記固定手段がアンカーであり、前記取付具本体は、前記係止部が間に設けられ着脱可能な上，下ベース部と、これら上，下ベース部に形成され前記アンカーを挿通する挿通孔とを備えることを特徴とする請求項１〜４のいずれか１項に記載の斜面落石防護構造。
【発明の詳細な説明】
【技術分野】
【０００１】
本発明は、斜面の落石や地滑りを防止して斜面を防護する斜面落石防護構造に関する。
【背景技術】
【０００２】
従来、この種のものとして、斜面の法面に沿い金網を張設するとともに、金網上に両端部をアンカーした複数の縦ワイヤロープ及び横ワイヤロープを左右、上下間隔を置き張設する落石等の防護網工において、法面にモルタル注入孔を備えたビツト付きアンカーロツドを打ち込むとともに、同時にモルタル注入孔を介しロツド先端部からロツド周囲の地盤にモルタルを注入して、アンカーロツドを法面に打ち込み養生した後、アンカーロツドの上部に支圧板及び押え板を装着して少なくとも縦、横ワイヤロープを挟持し固定するとともに金網を法面上に押圧してアンカーした防護網（例えば特許文献１）の防護構造がある。
【０００３】
上記従来技術のように、この種の網を用いる防護構造では、ワイヤーロープや金網を組み合わせ、斜面を覆って防護するようにしている。しかし、このような防護構造では、網とワイヤーロープ材とを別々に施工するため、施工性に劣る面がある。
【０００４】
さらに、鋼製のワイヤーロープや網を用いるものでは、部材自身が重量物となるため、据付用の重機が必要となり、施工範囲に制約を受け、工期の長期化し、工費が嵩む問題がある。そして、斜面落石防護のために設けられる防護構造は重機の使用に不向きな山の斜面などに設けられることが多いため、このような山の斜面に防護体を設ける施工では、部材が重量物であると、その搬入作業も煩雑となり、施工性に劣る問題がある。
【０００５】
そこで、施工性に優れ、工法簡易にして低価格での施工を可能とし、網の交換が容易な網を用いたものとして、斜面を網で覆う防護構造において、前記網が合成樹脂からなり、前記網を斜面に設置するアンカー及びロックボルトを備えた防護構造（例えば特許文献２）が提案されている。
【特許文献１】特開平７‐３００８２０号公報（図１及び図２）
【特許文献２】特開２００３−２６１９１０号公報（図１７及び図１８）
【発明の開示】
【発明が解決しようとする課題】
【０００６】
上記合成樹脂からなる網を用いた防護柵では、施工性に優れ、工法簡易にして低価格での施工を可能とし、また、必要な場合網の交換が容易となる。
【０００７】
ところで、上記のような合成樹脂からなる網を用いて広い面積を覆う場合、複数枚の網が必要となり、取付のために従来のアンカーを用いた場合、効率よく取り付けることができない。そこで、４つの網の角部を固定するために、例えば、特許文献１の支圧板及び押え板を用いたとすると、網が四重に重なりあって安定せず、さらに、合成樹脂製であるから、その四重に重なった角部を支圧板及び押え板で締め付けると、角部を傷める虞もある。
【０００８】
そこで、本発明は、網の設置を簡便に行うことができ、網の角部を安定して固定することができ、施工性にも優れた斜面落石防護構造を提供することを目的とする。
【課題を解決するための手段】
【０００９】
請求項１の発明は、合成樹脂製からなる複数の網を並べ、これら網により斜面を覆った斜面防護構造であって、前記網は四方に縁ロープ材を有し、前記網の角部を斜面に取り付ける取付具を備えるものである。
【００１０】
また、請求項２の発明は、前記取付具は、複数の網の角部に対応してそれぞれ設けられ該角部が係止する係止部を有する取付具本体と、この取付具本体を斜面に固定する固定手段とを備えるものである。
【００１１】
また、請求項３の発明は、４つの前記係止部を有し、隣接する４つの網の角部を前記取付具により斜面に固定したものである。
【００１２】
また、請求項４の発明は、前記角部の縁ロープ材を前記係止部に係止し、前記固定手段の周囲にほぼ等間隔で前記４つの係止部を配置したものである。
【００１３】
また、請求項５の発明は、前記固定手段がアンカーであり、前記取付具本体は、前記係止部が間に設けられ着脱可能な上，下ベース部と、これら上，下ベース部に形成され前記アンカーを挿通する挿通孔とを備えるものである。
【発明の効果】
【００１４】
請求項１の構成によれば、縁ロープ材を有する網を複数並べることにより、網とロープとを同時に設けることができ、施工性に優れたものとなる。
【００１５】
また、請求項２の構成によれば、網の角部を係止部に係止し、取付具本体を斜面に固定することにより、複数の網の角部を効率よく固定することができる。
【００１６】
また、請求項３の構成によれば、４つの網の角部を１つの取付具により斜面に固定することができる。
【００１７】
また、請求項４の構成によれば、４つの網の角部を固定手段に対してほぼ均等な位置に並べて固定することができる。
【００１８】
また、請求項５の構成によれば、角部を係止部に係止し、上，下ベース部を組み立てると共に、これら上，下ベース部に挿通したアンカーを斜面に固定して取付具を固定する。
【発明を実施するための最良の形態】
【００１９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる斜面落石防護構造を採用することにより、従来にない斜面落石防護構造が得られ、その斜面落石防護構造を夫々記述する。
【実施例１】
【００２０】
以下、本発明の防護柵の実施例１について図１〜図８を参照して説明する。同図に示すように、斜面落石防護構造１は、複数の網11とこの網11を斜面に取り付ける取付具21とを備える。尚、網11は正面略長方形形状をなし、この例ではほぼ正方形形状のものを用いる。
【００２１】
図６〜図８に示すように、前記網11は合成樹脂からなる貫通型無結筋網であり、例えば合成樹脂製の繊維糸12，12Ａを複数撚り合わせて線材13，13Ａを形成し、これら線材13，13Ａは交差方向をなし、交差部14により無結筋により相互に固定されている。尚、無結節網にはラッセル式もあるが、好ましくは貫通型を用いる。図６は構造を説明する説明図であり、同図に示すように、線材13，13Ａの交差部14において、一方の線材13の繊維糸12，12の間に隙間により形成する輪部15に、他方の線材13Ａの繊維糸12Ａ，12Ａを前後逆方向から挿通し、さらに、交差部14においても繊維糸12，12Ａを撚って輪部15，15Ａを閉めることにより、両線材13，13Ａを交差部14で固定する。尚、15Ａは交差部14で前記繊維糸12Ａ，12Ａの間に隙間により形成する輪部である。そして、図６は説明のために輪部15，15Ａを開いて図示したが、実際の網11では、前記輪部15，15Ａは閉じられた構造となる。
【００２２】
また、網11は略長方形状をなし、網11の四方の縁には、縁ロープ材たるロープ材16が設けられている。また、図７及び図８に示すように、前記ロープ材16において線材13，13Ａの端部側を折り返し、線材13，13Ａの重複部分18で線材13，13Ａ相互を固定し、表裏の線材13，13Ａの間にロープ材16を配置する。
【００２３】
また、網11に用いる合成樹脂としては、高密度のポリエチレンなどが好適であり、その高密度のポリエチレンを用いた場合、網11の比重は0.94〜0.96である。また、必要に応じて、網11にカーボンブラックや紫外線吸収剤を使用して耐候性を向上することができる。
【００２４】
防護構造１は、岩（図示せず）などが埋まった山の斜面を複数の網11で覆ったものであり、網11の角部11Ｋを取付具21により斜面に固定する。尚、この例では、角部11Ｋはロープ材16の屈曲角部である。
【００２５】
図３〜図５に示すように、前記取付具21は、取付具本体である平板状の上，下ベール部22，23の中央に貫通孔24，24をそれぞれ形成し、この貫通孔24の周囲に係止部たる係止軸25，25，25，25を等間隔に設け、隣合う係止軸25，25の間隔（隙間）は、前記ロープ材16の直径の２倍以上であり、この例では前記ロープ材16の直径のほぼ２倍としている。また、前記貫通孔24と係止軸25との間隔は、ロープ材16の直径以上であり、この例ではロープ材16の直径とほぼ等しい。したがって、複数の網11，11，11，11の角部11Ｋ，11Ｋ，11Ｋ，11Ｋをほぼ同一平面に位置させて係止軸25，25，25，25に係止することができる。そして、前記係止軸25を前記下ベース部23に固定し、図５に示すように、係止軸25の上部外周に段差部25Ａを形成し、この段差部25Ａが係合する段付き孔26が前記上ベース部22に形成されている。尚、前記係止軸25は円柱形状をなし、ロープ材16が係止する部分が曲面になっている。また、上，下ベース部22，23の内面には、弾性部材たるゴムパッド27が接着などにより一体的に設けられ、下ベース部23のゴムパッド27にも貫通孔24に連通する孔が設けられ、上ベース部23のゴムパッド27にも貫通孔24及び段付き孔26に連通する孔が設けられている。したがって、段差部25Ａを段付き孔26に着脱自在に挿入することにより、上，下ベース部22，23を組み立てることができる。図４に示すように、前記貫通孔24，24には固定手段たるアンカー28が挿通され、アンカー28が斜面に固定され、該アンカー28の上側ネジ部にナット29を螺合する。
【００２６】
31は補助アンカーであり、ロープ材16の中央側を斜面に固定する。また、必要に応じて、隣合う網11，11のロープ材16，16を接続用繊維ロープ32により接続する。この場合、図９などに示すように、ロープ材16，16に接続繊維用ロープ32を螺旋状に編み込むことにより接続できる。
【００２７】
次に、前記防護構造１の施工方法につき説明すると、図１に示すように、上下左右に隣合う網11，11のロープ材16，16を沿わせるようにして、斜面に複数の網11を升目状に並べ、かつ、網11の角部11Ｋを合わせ、全体の周囲では、２つの角部11Ｋ，11Ｋを隣合わせ、中央側では、４つ角部11Ｋ，11Ｋ，11Ｋ，11Ｋを隣合わせる。それら２つの角部11Ｋ，11Ｋ、４つ角部11Ｋ，11Ｋ，11Ｋ，11Ｋ及び周囲の１つの角部11Ｋの固定に、前記取付具21を用いることができる。
【００２８】
ここで、４つ角部11Ｋ，11Ｋ，11Ｋ，11Ｋを例に説明すると、４つ角部11Ｋ，11Ｋ，11Ｋ，11Ｋの中心位置で斜面にアンカー28を固定し、そのアンカー28を貫通孔24に通して下ベース部23を斜面上に配置しておく。そして、４つ角部11Ｋ，11Ｋ，11Ｋ，11Ｋを対応する係止軸25，25，25，25に掛けるようにして係止する。すると、４つ角部11Ｋ，11Ｋ，11Ｋ，11Ｋが整列して並び、この後、アンカー28を貫通孔24に通して、上ベース部22を上から被せ、段差部25Ａと段付き孔26とを嵌合し、アンカー28にナット29を螺合し、該ナット29と斜面とにより上，下ベース部22，23を締め付けた状態で固定する。
【００２９】
また、隣接する２つの角部11Ｋ，11Ｋは、２つの係止軸25，25を用いて同様に固定し、周囲の１つの角部11Ｋは、１つの係止軸25を用いて同様に固定する。また、隣合うロープ材16，16を接続用繊維ロープ材32により接続し、また、ロープ材16の角部11Ｋ，11Ｋ間の中央側を、補助アンカー31により斜面に固定する。
【００３０】
このように周囲にロープ材16を組み込んだ網11を複数並べて斜面を覆うことにより、網部分とロープとを同時に設けることができ、従来の網とロープを別々に設けるものに比べて施工性の向上を図ることができる。また、複数の係止軸25を備えた取付具21を用いることにより網11の角部11Ｋを簡便に固定することができる。
【００３１】
尚、網11により斜面を覆った後、必要に応じて、種子を吹き付けて、緑化するようにしてもよい。
【００３２】
このように本実施例では、請求項１に対応して、合成樹脂製からなる複数の網11，11を並べ、これら網11，11により斜面を覆った斜面防護構造であって、網11は四方に縁ロープ材たるロープ材16を有し、網11の角部11Ｋを斜面に取り付ける取付具21を備えるから、ロープ材16を有する網11を複数並べることにより、網とロープとを同時に設けることができ、施工性に優れたものとなる。
【００３３】
また、このように本実施例では、請求項２に対応して、取付具21は、複数の網11の角部11Ｋに対応してそれぞれ設けられ該角部11Ｋが係止する係止部たる係止軸25を有する取付具本体たる上，下ベース部22，23と、この上，下ベース部22，23を斜面に固定する固定手段たるアンカー28とを備えるから、網11の角部11Ｋを係止軸25に係止し、下ベース部23を斜面に固定することにより、複数の網11の角部11Ｋを効率よく固定することができる。また、従来のようにロープが重なり合うことがなく、固定によりロープ材16に無理な力が加わることもない。
【００３４】
また、このように本実施例では、請求項３に対応して、４つの係止部たる係止軸25，25，25，25を有し、隣接する４つの網11，11，11，11の角部11Ｋ，11Ｋ，11Ｋ，11Ｋを取付具21により斜面に固定したから、４つの網11，11，11，11の角部11Ｋ，11Ｋ，11Ｋ，11Ｋを１つの取付具21により斜面に固定することができる。
【００３５】
また、このように本実施例では、請求項４に対応して、角部11Ｋの縁ロープ材たるロープ材16を係止部たる係止軸25に係止し、固定手段たるアンカー28の周囲にほぼ等間隔で４つの係止部たる係止軸25を配置したから、４つの網11，11，11，11の角部11Ｋ，11Ｋ，11Ｋ，11Ｋを固定手段たるアンカー28に対してほぼ均等な位置に並べて固定することができる。
【００３６】
また、このように本実施例では、請求項５に対応して、前記固定手段がアンカー28であり、取付具本体は、係止部たる係止軸25が間に設けられ着脱可能な上，下ベース部22，23と、これら上，下ベース部22，23に形成されアンカー28を挿通する挿通孔24，24とを備えるから、角部11Ｋを係止軸に係止し、上，下ベース部22，23を組み立てると共に、これら上，下ベース部22，23に挿通したアンカー28を斜面に固定して取付具21を固定することができる。
【００３７】
また、実施例上の効果として、アンカー28にナット29を螺合し、該ナット29と斜面とにより上，下ベース部22，23を締め付けた状態で固定するから、上，下ベース部22，23を組立固定する手段を別個に設ける必要がない。
【００３８】
以上、本発明の実施例について詳述したが、本発明は、前記実施例に限定されるものではなく、本発明の要旨の範囲内で種々の変形実施が可能である。例えば、実施例では、角部の縁ロープ材たるロープ材を係止部たる係止軸に係止したが、網の角部に別個に輪部などを設け、この角部たる輪部を係止部に係止するようにしてもよい。
【図面の簡単な説明】
【００３９】
【図１】本発明の実施例１を示す防護構造の正面図である。
【図２】同上、防護構造の断面図である。
【図３】同上、取付具の平断面図である。
【図４】同上、一部を断面にした取付具の側面図である。
【図５】同上、一部を断面にした分解状態の取付具の側面図である。
【図６】同上、網の構造を説明する正面説明図である。
【図７】同上、網の端部の平面展開図であり、網とロープ材とを示す。
【図８】同上、一部を断面にした網の側面図であり、図７（Ａ）は網の端部側にロープ材を重ねて配置した状態、図７（Ｂ）は網の端部を折り返して重複部分を形成した状態を示す。
【図９】同上、接続用繊維ロープの使用状態を示す説明正面図である。
【符号の説明】
【００４０】
１  防護構造
11  網
11Ｋ  角部
16  ロープ材（縁ロープ材）
21  取付具
22  上ベース部（取付具本体）
23  下ベース部（取付具本体）
24  貫通孔
25  係止軸（係止部）
28  アンカー（固定手段）
【図１】
2005336720.tif 000003
【図２】
2005336720.tif 000004
【図３】
2005336720.tif 000005
【図４】
2005336720.tif 000006
【図５】
2005336720.tif 000007
【図６】
2005336720.tif 000008
【図７】
2005336720.tif 000009
【図８】
2005336720.tif 000010
【図９】
2005336720.tif 000011